【手続補正書】
【提出日】令和1年6月27日(2019.6.27)
【手続補正１】
【補正対象書類名】特許請求の範囲
【補正対象項目名】全文
【補正方法】変更
【補正の内容】
【特許請求の範囲】
【請求項１】
第１の基板に取り付けられた金属部品であって、
前記第１の基板に半田付けされる半田付け部と、
前記第１の基板が取り付けられた電子機器に取り付けられた第２の基板と前記第１の基板との間に配置され、前記第１の基板に実装されたノイズの発生源となる回路を覆うように形成された面と、
を有し、
前記金属部品は他の用途として前記第１の基板に取り付けられており、かつ、前記面により前記ノイズを遮蔽する遮蔽部材として機能することを特徴とする金属部品。
【請求項２】
前記金属部品は、前記第１の基板を前記電子機器に取り付けるためのビスを通す穴部を有し、前記電子機器の筐体と前記第１の基板のグランドパターンとを前記ビスを介して電気的に接続するためのアースターミナルであることを特徴とする請求項１に記載の金属部品。
【請求項３】
前記金属部品は、前記第１の基板に実装された素子と前記第１の基板のグランドパターンとを接続するための板状のジャンパーであることを特徴とする請求項１に記載の金属部品。
【請求項４】
前記金属部品は、前記第１の基板に実装された素子が発生する熱を放熱するための放熱板であることを特徴とする請求項１に記載の金属部品。
【請求項５】
前記ノイズの発生源となる回路は、スイッチトキャパシタ、チャージポンプ又は高周波デジタル回路であることを特徴とする請求項１から請求項４のいずれか１項に記載の金属部品。
【請求項６】
部材に取り付けられた金属部品であって、
第１の基板に半田付けされる半田付け部と、
前記第１の基板とノイズの発生源となる前記部材との間に配置され、前記第１の基板を覆うように形成された面と、
を有し、
前記金属部品は他の用途として前記部材に取り付けられており、かつ、前記面により前記ノイズを遮蔽することを特徴とする金属部品。
【請求項７】
前記ノイズの発生源となる部材は、モータであることを特徴とする請求項６に記載の金属部品。
【請求項８】
前記第１の基板は、片面一層の紙フェノール基板であることを特徴とする請求項１から請求項７のいずれか１項に記載の金属部品。
【請求項９】
筐体と、
ノイズの発生源となる回路が実装された第１の基板と、
前記第１の基板と重なり部分を有するように前記筐体に取り付けられた第２の基板と、
前記第１の基板に取り付けられた金属部品であって、前記第１の基板に半田付けされる半田付け部と、前記第１の基板と前記第２の基板との間に配置され、前記ノイズの発生源となる回路を覆うように形成された面と、を有し、前記金属部品は他の用途として前記第１の基板に取り付けられており、かつ、前記面により前記ノイズを遮蔽する金属部品と、を有することを特徴とする画像形成装置。
【請求項１０】
前記金属部品は、前記第１の基板を前記筐体に取り付けるためのビスを通す穴部を有し、前記筐体と前記第１の基板のグランドパターンとを前記ビスを介して電気的に接続するためのアースターミナルであることを特徴とする請求項９に記載の画像形成装置。
【請求項１１】
前記金属部品は、前記第１の基板に実装された素子と前記第１の基板のグランドパターンとを接続するための板状のジャンパーであることを特徴とする請求項９に記載の画像形成装置。
【請求項１２】
前記金属部品は、前記第１の基板に実装された素子が発生する熱を放熱するための放熱板であることを特徴とする請求項９に記載の画像形成装置。
【請求項１３】
前記ノイズの発生源となる回路は、スイッチトキャパシタ、チャージポンプ又は高周波デジタル回路であることを特徴とする請求項９から請求項１２のいずれか１項に記載の画像形成装置。
【請求項１４】
記録材に画像を形成する形成手段と、
前記形成手段を制御する制御回路と、
前記形成手段に電圧を供給する第１の電源回路と、
前記制御回路に電圧を供給する第２の電源回路と、
を有し、
前記制御回路及び前記第１の電源回路は、前記第１の基板に実装され、
前記第２の電源回路は、前記第２の基板に実装されていることを特徴とする請求項９から請求項１３のいずれか１項に記載の画像形成装置。
【請求項１５】
ノイズの発生源となる部材と、
前記部材を制御する制御回路と、
前記制御回路が実装された第１の基板と、
前記部材に取り付けられた金属部品であって、前記第１の基板に半田付けされる半田付け部と、前記第１の基板と前記部材との間に配置され、前記第１の基板を覆うように形成された面と、を有し、前記金属部品は他の用途として前記部材に取り付けられており、かつ、前記面により前記ノイズを遮蔽する金属部品と、
を有することを特徴とする画像形成装置。
【請求項１６】
記録材に画像を形成する形成手段と、
前記形成手段を駆動するモータと、
を有し、
前記部材は、前記モータであることを特徴とする請求項１５に記載の画像形成装置。
【請求項１７】
前記第１の基板は、片面一層の紙フェノール基板であることを特徴とする請求項９から請求項１６のいずれか１項に記載の画像形成装置。
【請求項１８】
電子装置に搭載される回路基板において、
回路が実装されており、グランドパターンと前記グランドパターンと接続された導電性のグランド端子部とを有する第一回路基板と、
前記第一回路基板に近接して配置された第二回路基板と、
前記第一回路基板の前記回路と前記グランド端子部の夫々の少なくとも一部が重なるように前記第一回路基板と前記第二回路基板が配置されていることを特徴とする回路基板。
【請求項１９】
前記第二回路基板は電圧が入力される入力部を有し、
前記グランド端子部と前記回路と前記入力部が一部重なるように前記第一回路基板と前記第二回路基板が配置されていることを特徴とする請求項１８に記載の回路基板。
【請求項２０】
前記回路とは放射ノイズを発生する回路であって、
前記グランド端子部は前記回路から発生した前記放射ノイズの前記第二回路基板への影響を低減することを特徴とする請求項１８または１９に記載の回路基板。
【請求項２１】
更に、導電性の筐体を有し、
前記グランド端子部は、導電性の固定部材で前記第一回路基板と前記導電性の筐体に対して固定されることにより電気的に接続されていることを特徴とする請求項１８乃至２０のいずれか１項に記載の回路基板。
【請求項２２】
前記回路は、スイッチトキャパシタ、チャージポンプ回路、高周波デジタル回路のうちの一つを含むことを特徴とする請求項１８乃至２１のいずれか１項に記載の回路基板。
【請求項２３】
電子装置に搭載される回路基板において、
実装された回路と、
グランドパターンと、
前記グランドパターンと接続された導電性のグランド端子部と、を備え、
前記電子装置に搭載された他の回路基板と前記回路基板は近接して配置されており、前記他の回路基板と、前記回路基板の前記回路が実装された部位が少なくとも一部重なっており、
前記グランド端子部は、前記一部重なった前記他の回路基板と前記回路基板の間に配置されていることを特徴とする回路基板。
【請求項２４】
前記回路とは放射ノイズを発生する回路であって、
前記グランド端子部は前記回路から発生した前記放射ノイズの前記他の回路基板への影響を低減することを特徴とする請求項２３に記載の回路基板。
【請求項２５】
前記回路は、スイッチトキャパシタ、チャージポンプ回路、高周波デジタル回路のうちの一つを含むことを特徴とする請求項２３または２４に記載の回路基板。
【請求項２６】
記録材に画像を形成するための画像形成装置において、
画像を形成するための画像形成手段と、
前記画像形成手段を駆動するために動作する回路が実装されており、前記回路はグランドパターンと前記グランドパターンと接続された導電性のグランド端子部とを有する第一回路基板と、
前記第一回路基板に近接して配置された第二回路基板と、
前記第一回路基板の前記回路と前記グランド端子部の夫々の少なくとも一部が重なるように前記第一回路基板と前記第二回路基板が配置されていることを特徴とする画像形成装置。
【請求項２７】
前記第二回路基板には電圧が入力される入力部を有し、
前記グランド端子部と前記回路と前記入力部が一部重なるように前記第一回路基板と前記第二回路基板が配置されていることを特徴とする請求項２６に記載の画像形成装置。
【請求項２８】
前記回路とは放射ノイズを発生する回路であって、
前記グランド端子部は前記回路から発生した前記放射ノイズの前記第二回路基板への影響を低減することを特徴とする請求項２６または２７に記載の画像形成装置。
【請求項２９】
更に、導電性の筐体を有し、
前記グランド端子部は、導電性の固定部材で前記第一回路基板と前記導電性の筐体に対して固定されることにより電気的に接続されていることを特徴とする請求項２６乃至２８のいずれか１項に記載の画像形成装置。
【請求項３０】
前記回路は、スイッチトキャパシタ、チャージポンプ回路、高周波デジタル回路のうちの一つを含むことを特徴とする請求項２６乃至２９のいずれか１項に記載の画像形成装置。
【請求項３１】
前記第一回路基板は、前記画像形成手段に高電圧を供給するための回路基板であることを特徴とする請求項２６乃至３０のいずれか１項に記載の画像形成装置。
【請求項３２】
前記画像形成手段の動作を制御するための制御部を有し、
前記第二回路基板は、前記制御部を動作するために前記制御部に電力を供給するための回路基板であることを特徴とする請求項２６乃至３１に記載の画像形成装置。
【手続補正２】
【補正対象書類名】明細書
【補正対象項目名】発明の名称
【補正方法】変更
【補正の内容】
【発明の名称】金属部品、画像形成装置及び回路基板
【手続補正３】
【補正対象書類名】明細書
【補正対象項目名】０００１
【補正方法】変更
【補正の内容】
【０００１】
本発明は、金属部品、画像形成装置及び回路基板に関する。
【手続補正４】
【補正対象書類名】明細書
【補正対象項目名】０００８
【補正方法】変更
【補正の内容】
【０００８】
（１）第１の基板に取り付けられた金属部品であって、前記第１の基板に半田付けされる半田付け部と、前記第１の基板が取り付けられた電子機器に取り付けられた第２の基板と前記第１の基板との間に配置され、前記第１の基板に実装されたノイズの発生源となる回路を覆うように形成された面と、を有し、前記金属部品は他の用途として前記第１の基板に取り付けられており、かつ、前記面により前記ノイズを遮蔽する遮蔽部材として機能することを特徴とする金属部品。
（２）部材に取り付けられた金属部品であって、第１の基板に半田付けされる半田付け部と、前記第１の基板とノイズの発生源となる前記部材との間に配置され、前記第１の基板を覆うように形成された面と、を有し、前記金属部品は他の用途として前記部材に取り付けられており、かつ、前記面により前記ノイズを遮蔽することを特徴とする金属部品。
（３）筐体と、ノイズの発生源となる回路が実装された第１の基板と、前記第１の基板と重なり部分を有するように前記筐体に取り付けられた第２の基板と、前記第１の基板に取り付けられた金属部品であって、前記第１の基板に半田付けされる半田付け部と、前記第１の基板と前記第２の基板との間に配置され、前記ノイズの発生源となる回路を覆うように形成された面と、を有し、前記金属部品は他の用途として前記第１の基板に取り付けられており、かつ、前記面により前記ノイズを遮蔽する金属部品と、を有することを特徴とする画像形成装置。
（４）ノイズの発生源となる部材と、前記部材を制御する制御回路と、前記制御回路が実装された第１の基板と、前記部材に取り付けられた金属部品であって、前記第１の基板に半田付けされる半田付け部と、前記第１の基板と前記部材との間に配置され、前記第１の基板を覆うように形成された面と、を有し、前記金属部品は他の用途として前記部材に取り付けられており、かつ、前記面により前記ノイズを遮蔽する金属部品と、を有することを特徴とする画像形成装置。
（５）電子装置に搭載される回路基板において、回路が実装されており、グランドパターンと前記グランドパターンと接続された導電性のグランド端子部とを有する第一回路基板と、前記第一回路基板に近接して配置された第二回路基板と、前記第一回路基板の前記回路と前記グランド端子部の夫々の少なくとも一部が重なるように前記第一回路基板と前記第二回路基板が配置されていることを特徴とする回路基板。
（６）電子装置に搭載される回路基板において、実装された回路と、グランドパターンと、前記グランドパターンと接続された導電性のグランド端子部と、を備え、前記電子装置に搭載された他の回路基板と前記回路基板は近接して配置されており、前記他の回路基板と、前記回路基板の前記回路が実装された部位が少なくとも一部重なっており、前記グランド端子部は、前記一部重なった前記他の回路基板と前記回路基板の間に配置されていることを特徴とする回路基板。
（７）記録材に画像を形成するための画像形成装置において、画像を形成するための画像形成手段と、前記画像形成手段を駆動するために動作する回路が実装されており、前記回路はグランドパターンと前記グランドパターンと接続された導電性のグランド端子部とを有する第一回路基板と、前記第一回路基板に近接して配置された第二回路基板と、前記第一回路基板の前記回路と前記グランド端子部の夫々の少なくとも一部が重なるように前記第一回路基板と前記第二回路基板が配置されていることを特徴とする画像形成装置。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】